(57)【特許請求の範囲】
【請求項１】
放送される映像の画質及び該映像へのパンスキャン情報付加の有無を監視する監視手段を有するパンスキャン情報表示装置において、
前記監視手段は、前記放送される映像が前記パンスキャン情報が付加された映像である場合、前記パンスキャン情報に基づいた前記映像の拡大処理を行わず、前記映像の周囲の未使用領域に、前記映像が前記パンスキャン情報が付加された映像である旨を表示し、前記放送される映像が前記パンスキャン情報が付加されていない映像である場合、前記映像の周囲の未使用領域に、前記映像が前記パンスキャン情報が付加されていない映像である旨を表示することを特徴とするパンスキャン情報表示装置。
【請求項２】
請求項１に記載のパンスキャン情報表示装置において、
前記監視手段は、前記映像が前記パンスキャン情報が付加された映像かどうかを、前記未使用領域に予め設定された色によって表示することを特徴とするパンスキャン情報表示装置。
【請求項３】
放送される映像の画質及び該映像へのパンスキャン情報付加の有無を監視するパンスキャン情報表示方法であって、
前記放送される映像が前記パンスキャン情報が付加された映像である場合、前記映像を拡大せずに表示する処理と、
前記放送される映像が前記パンスキャン情報が付加された映像である場合、前記映像の周囲の未使用領域に、前記映像が前記パンスキャン情報が付加された映像である旨を表示する処理と、
前記放送される映像が前記パンスキャン情報が付加されていない映像である場合、前記映像の周囲の未使用領域に、前記映像が前記パンスキャン情報が付加されていない映像である旨を表示する処理とを有するパンスキャン情報表示方法。
【請求項４】
請求項３に記載のパンスキャン情報表示方法において、
前記映像が前記パンスキャン情報が付加された映像かどうかを、前記未使用領域に予め設定された色によって表示する処理を有することを特徴とするパンスキャン情報表示方法。
【発明の詳細な説明】
【技術分野】
【０００１】
本発明は、映像を画面に表示する機能であるパンスキャンについての情報を表示するためのパンスキャン情報表示装置及びパンスキャン情報表示方法に関する。
【背景技術】
【０００２】
一般的に、映像を表示する画面の横と縦のサイズの比を表すアスペクト比として、１６：９や４：３の比率が知られている。
【０００３】
また近年、映画やコンサート、地上デジタルテレビ放送などの大規模で高画質なコンテンツから、コンパクトで高画質な映像が求められる携帯電話用の映像配信フォーマットまで、幅広い普及が期待されている映像コーデックの規格として、Ｈ．２６４が標準化されている。
【０００４】
Ｈ．２６４では、画面の左右に黒い帯状の部分が発生するサイドパネル形式や、画面の上下に黒い帯状の部分が発生するレターボックス形式などにより、元の映像とは異なるアスペクト比の画像フォーマットで符号化を行う場合に、画面全体における元映像の表示位置を示す矩形領域情報を、Pan-scan rectangle SEI messageと呼ばれるパンスキャン情報として、符号化ストリームに付加することができる。これを受信した受信側のデコーダでは、このパンスキャン情報に基づいて、元映像が表示される領域を切り出して拡大し、画面全体に表示する処理が行われている。つまり、受信側にて映像が拡大された場合は、パンスキャン情報が付加されており、また、受信側にて映像が拡大されずに表示された場合は、パンスキャン情報が付加されていないと判断されている。
【０００５】
また、パンスキャン情報の確認ではないが、現在の状況を画面上の背景や表示枠、文字等の色を変化させることにより確認する方法が考えられている（例えば、特許文献１参照。）。
【特許文献１】特開２００１−２８３０１２号公報
【発明の開示】
【発明が解決しようとする課題】
【０００６】
しかしながら、表示される映像を監視するモニタにおいては、当該画像がパンスキャン情報が付加された映像であるかどうかと当該映像の画質とを確認する必要がある。パンスキャン情報に基づいて元映像を拡大する方法については、一般に拡大処理はフィルタ処理によって画質が劣化してしまうため、本来の画質を確認することが困難となる。そのため、当該画面をモニタする場合には拡大処理を行うモニタは適当ではない。そのため、画質劣化を伴わずにパンスキャン情報が付加されているかどうかを確認するには、１６：９のアスペクト比を持つモニタと、４：３のアスペクト比を持つモニタとの双方を設置しなければならないという問題点がある。
【０００７】
また、特許文献１に記載された方法においては、背景や表示枠、文字等の表示に何らかの意味を持つ場合には、その意味を持つ色を変えることができず、また、変化させた色によって、表示された意味のある主要部分の文字等が見難くなってしまう虞があるという問題点がある。
【０００８】
本発明は、上述したような従来の技術が有する問題点に鑑みてなされたものであって、容易に映像の画質とパンスキャン情報の付加の有無とを確認することができるパンスキャン情報表示装置及びパンスキャン情報表示方法を提供することを目的とする。
【課題を解決するための手段】
【０００９】
上記目的を達成するために本発明は、
放送される映像の画質及び該映像へのパンスキャン情報付加の有無を監視する監視手段を有するパンスキャン情報表示装置において、
前記監視手段は、前記放送される映像が前記パンスキャン情報が付加された映像である場合、前記パンスキャン情報に基づいた前記映像の拡大処理を行わず、前記映像の周囲の未使用領域に、前記映像が前記パンスキャン情報が付加された映像である旨を表示し、前記放送される映像が前記パンスキャン情報が付加されていない映像である場合、前記映像の周囲の未使用領域に、前記映像が前記パンスキャン情報が付加されていない映像である旨を表示することを特徴とする。
【００１０】
また、前記監視手段は、前記映像が前記パンスキャン情報が付加された映像かどうかを、前記未使用領域に予め設定された色によって表示することを特徴とする。
【００１１】
また、放送される映像の画質及び該映像へのパンスキャン情報付加の有無を監視するパンスキャン情報表示方法であって、
前記放送される映像が前記パンスキャン情報が付加された映像である場合、前記映像を拡大せずに表示する処理と、
前記放送される映像が前記パンスキャン情報が付加された映像である場合、前記映像の周囲の未使用領域に、前記映像が前記パンスキャン情報が付加された映像である旨を表示する処理と、
前記放送される映像が前記パンスキャン情報が付加されていない映像である場合、前記映像の周囲の未使用領域に、前記映像が前記パンスキャン情報が付加されていない映像である旨を表示する処理とを有する。
【００１２】
また、前記映像が前記パンスキャン情報が付加された映像かどうかを、前記未使用領域に予め設定された色によって表示する処理を有することを特徴とする。
【００１３】
上記のように構成された本発明においては、放送される映像の画質及び当該映像へのパンスキャン情報付加の有無を監視する監視手段によって、放送される映像がパンスキャン情報が付加された映像である場合、パンスキャン情報に基づいた映像の拡大処理は行われず、映像の周囲の未使用領域に、映像がパンスキャン情報が付加された映像である旨が表示され、放送される映像がパンスキャン情報が付加されていない映像である場合は、映像の周囲の未使用領域に、映像がパンスキャン情報が付加されていない映像である旨が表示される。
【００１４】
このように、映像の拡大処理を行わないことにより、本来の映像の画質を確認することができ、また、映像が表示されない未使用領域にパンスキャン情報付加の有無が表示されることにより、主要な映像が見難くなる等の悪影響を及ぼすことなくパンスキャン情報付加の有無を確認することができる。
【発明の効果】
【００１５】
以上説明したように本発明においては、放送される映像の画質及び当該映像へのパンスキャン情報付加の有無を監視する監視手段によって、放送される映像がパンスキャン情報が付加された映像である場合、パンスキャン情報に基づいた映像の拡大処理を行わず、映像の周囲の未使用領域に、映像がパンスキャン情報が付加された映像である旨を表示し、放送される映像がパンスキャン情報が付加されていない映像である場合は、映像の周囲の未使用領域に、映像がパンスキャン情報が付加されていない映像である旨を表示する構成としたため、容易に映像の画質とパンスキャン情報の付加の有無とを確認することができる。
【発明を実施するための最良の形態】
【００１６】
以下に、本発明の実施の形態について図面を参照して説明する。
【００１７】
図１は、本発明のパンスキャン情報表示装置を用いたパンスキャン情報表示システムの実施の一形態を示す図である。本形態において、映像を符号化するフォーマットはＱＶＧＡ（Quarter Video Graphics Array）である。また、映像ソースとしては、地上デジタル放送やＢＳデジタル放送などのハイビジョン用の映像であるＨＤベースバンド映像と、地上波アナログ放送やＤＶＤ（Digital Versatile Disk）ビデオなどの映像であるＳＤベースバンド映像とが使用される。
【００１８】
本形態は図１に示すように、表示画面のアスペクト比が１６：９である携帯電話１０１と、表示画面のアスペクト比が４：３である携帯電話１０２と、それらへ映像データを送信するパンスキャン情報表示装置である放送局１０３とから構成されている。
【００１９】
さらに、携帯電話１０１には、放送局１０３から送信された映像データを映像コーデックの規格であるＨ．２６４の規格でデコードするデコーダ１１０と、デコーダ１１０にてデコードされた映像を表示するアスペクト比１６：９のＱＶＧＡ液晶１１１とが設けられている。
【００２０】
また、携帯電話１０２には、放送局１０３から送信された映像データを映像コーデックの規格であるＨ．２６４の規格でデコードするデコーダ１２０と、デコーダ１２０にてデコードされた映像を表示するアスペクト比４：３のＱＶＧＡ液晶１２１とが設けられている。
【００２１】
また、放送局１０３は、ダウンコンバータ１３０，１３１と、映像切り替え部１３２と、制御部１３３と、エンコーダ１３４と、放送用データ送信部１３５と、監視部１０４とから構成されている。さらに、監視部１０４は、監視用デコーダ１３６と、監視用モニタであるＳＤ映像モニタ１３７とから構成されている。ダウンコンバータ１３０は、ＨＤベースバンド映像１４０をＱＶＧＡに縮小してＱＶＧＡベースバンド映像１４１として出力する。ダウンコンバータ１３１は、ＳＤベースバンド映像１４２をＱＶＧＡに縮小してＱＶＧＡベースバンド映像１４３として出力する。映像切り替え部１３２は、ダウンコンバータ１３０から出力されたＱＶＧＡベースバンド映像１４１と、ダウンコンバータ１３１から出力されたＱＶＧＡベースバンド映像１４３とを入力とし、制御部１３３の指示によりそれらのどちらかを選択して、選択された映像をＱＶＧＡベースバンド映像１４４として出力する。制御部１３３は、映像切り替え部１３２がＱＶＧＡベースバンド映像１４１とＱＶＧＡベースバンド映像１４３とのどちらの映像を選択するかを指示する切り替え指示信号１４５を映像切り替え部１３２へ出力し、また、選択された映像に応じたパンスキャン情報を付加する指示であるパンスキャン情報付加指示信号１４６をエンコーダ１３４へ出力する。エンコーダ１３４は、制御部１３３から出力されたパンスキャン情報付加指示信号１４６に基づいてＱＶＧＡベースバンド映像１４４にパンスキャン情報を付加して符号化ストリーム１４７として出力する。放送用データ送信部１３５は、符号化ストリーム１４７を携帯電話１０１，１０２へ送信するための放送ストリーム１４９に変換して携帯電話１０１，１０２へ送信する。監視用デコーダ１３６は、映像の画質及びパンスキャン情報の確認のため、符号化ストリーム１４７をＳＤベースバンド映像１４８へデコードする。ＳＤ映像モニタ１３７は、アスペクト比が４：３であるモニタであり、解像度が７２０×４８０ピクセルのＳＤベースバンド映像１４８を表示する。
【００２２】
以下に、図１に示したパンスキャン情報表示システムにおいて、ＨＤベースバンド映像１４０が処理される場合と、ＳＤベースバンド映像１４２が処理される場合とにおいて、ＱＶＧＡ液晶１１１、ＱＶＧＡ液晶１２１及びＳＤ映像モニタ１３７にそれぞれ映像がどのように表示されるかを図を参照して説明する。ここでは、図１に示したエンコーダ１３４の符号化フォーマットをＱＶＧＡ（アスペクト比１６：９、解像度３２０×１８０ピクセル）とした場合を例に挙げて説明する。
【００２３】
図２は、図１に示したパンスキャン情報表示システムにおいて、ＱＶＧＡ液晶１１１、ＱＶＧＡ液晶１２１及びＳＤ映像モニタ１３７にそれぞれ映像がどのように表示されるかを説明するための図である。
【００２４】
まず、図１に示したＨＤベースバンド映像１４０が処理される場合を説明する。ここでのＨＤベースバンド映像１４０は、解像度が１９２０×１０８０ピクセルのものを例に挙げて説明する。
【００２５】
ダウンコンバータ１３０にＨＤベースバンド映像１４０が入力されると、ダウンコンバータ１３０にてＨＤベースバンド映像１４０は、アスペクト比が１６：９のＱＶＧＡベースバンド映像１４１に変換される。ここでは、解像度が１９２０×１０８０から３２０×１８０へ縮小される。
【００２６】
そして、ＱＶＧＡベースバンド映像１４１は、制御部１３３から出力される切り替え指示信号１４５によって映像切り替え部１３２にて選択され、ＱＶＧＡベースバンド映像１４４として出力される。
【００２７】
ここで、ＨＤベースバンド映像１４０の解像度は、１９２０×１０８０ピクセルであり、ＱＶＧＡベースバンド映像１４１の解像度は、３２０×１８０ピクセルであるため、変換前後にてアスペクト比の値は変わらない。そのため、制御部１３３からエンコーダ１３４へパンスキャン情報付加指示信号１４６は出力されず、符号化ストリーム１４７にはパンスキャン情報は付加されない。
【００２８】
パンスキャン情報が付加されていない符号化ストリーム１４７は、携帯電話１０１，１０２へ送信されるための放送ストリーム１４９へ放送用データ送信部１３５にて変換されて送信される。
【００２９】
そして、デコーダ１１０において、入力された放送ストリーム１４９が、付加されたパンスキャン情報に基づいてデコードされるが、この場合、パンスキャン情報は付加されていないため、そのままの映像である図２に示した表示映像２０１としてＱＶＧＡ液晶１１１に表示される。
【００３０】
また、デコーダ１２０において、入力された放送ストリーム１４９が、付加されたパンスキャン情報に基づいてデコードされるが、この場合、パンスキャン情報は付加されていないため、そのままの映像である図２に示した表示映像２０２としてＱＶＧＡ液晶１２１に表示される。このとき、ＱＶＧＡベースバンド映像１４１のアスペクト比とＱＶＧＡ液晶１２１のアスペクト比とが異なるが、パンスキャン情報が付加されていないため、ＱＶＧＡ液晶１２１には、図２に示した表示映像２０２の上下の斜線部分のように、レターボックス形式による映像の上下に帯が表示される。
【００３１】
また、監視用デコーダ１３６において、入力された符号化ストリーム１４７が、付加されたパンスキャン情報に基づいてデコードされるが、この場合、パンスキャン情報は付加されていないため、そのままの映像である図２に示した表示映像２０３としてＳＤ映像モニタ１３７に表示される。このとき、ＱＶＧＡベースバンド映像１４１のサイズとＳＤ映像モニタ１３７のサイズとが異なるため、ＳＤ映像モニタ１３７には、図２に示した表示映像２０３のように、映像の周囲に映像が表示されない余りの部分が付加される。この余りの部分に背景２０８として予め設定された色を表示することができる。例えば、パンスキャン情報が付加されていない映像に対しては、背景２０８が赤に表示されると予め設定されていれば、背景２０８が赤で表示された場合は、パンスキャン情報が付加されていない映像であることがわかる。
【００３２】
次に、図１に示したＳＤベースバンド映像１４２が処理される場合を説明する。ここでのＳＤベースバンド映像１４２の解像度は、７２０×４８０ピクセルの一般的なものである。
【００３３】
ダウンコンバータ１３１にＳＤベースバンド映像１４２が入力されると、ダウンコンバータ１３１にてＳＤベースバンド映像１４２は、アスペクト比が１６：９のＱＶＧＡベースバンド映像１４３に変換される。ここでは、解像度が７２０×４８０から２４０×１８０へ縮小される。
【００３４】
このとき、ＳＤベースバンド映像１４２のアスペクト比とＱＶＧＡベースバンド映像１４３のアスペクト比とが異なるため、図２に示すように映像の左右にサイドパネル形式の背景２０４が付加される。
【００３５】
そして、ＱＶＧＡベースバンド映像１４３は、制御部１３３から出力される切り替え指示信号１４５によって映像切り替え部１３２にて選択され、ＱＶＧＡベースバンド映像１４４として出力される。
【００３６】
ここで、ＳＤベースバンド映像１４２の解像度は、７２０×４８０ピクセルであり、ＱＶＧＡベースバンド映像１４３の解像度は、３２０×１８０ピクセルであるため、変換前後にてアスペクト比の値は異なり、つまり、アスペクト比が変更されるため、制御部１３３からエンコーダ１３４へパンスキャン情報付加指示信号１４６が出力され、符号化ストリーム１４７にパンスキャン情報が付加される。
【００３７】
パンスキャン情報が付加された符号化ストリーム１４７は、携帯電話１０１，１０２へ送信されるための放送ストリーム１４９へ放送用データ送信部１３５にて変換されて送信される。
【００３８】
そして、デコーダ１１０において、入力された放送ストリーム１４９が、付加されたパンスキャン情報に基づいてデコードされ、図２に示した表示映像２０５としてＱＶＧＡ液晶１１１に表示される。
【００３９】
また、デコーダ１２０において、入力された放送ストリーム１４９が、付加されたパンスキャン情報に基づいてデコードされる。ここで、仮にパンスキャン情報が付加されていないのであれば、ＱＶＧＡベースバンド映像１４３にサイドパネル形式の背景が左右に付加され、且つレターボックス形式の背景が上下に付加されて表示されるが、この場合は、パンスキャン情報が付加されているため、表示映像２０６のように、付加されたパンスキャン情報に基づいて元の映像が表示される矩形領域が破線で示すサイズから画面全体に拡大されて表示される。
【００４０】
また、監視用デコーダ１３６において、入力された符号化ストリーム１４７が、付加されたパンスキャン情報に基づいてデコードされてしまうと、画質を確認する目的で設けられたものであるにもかかわらず、拡大処理されて画質が劣化した映像が表示されてしまう。それを避けるため、拡大処理は行われずにそのままのサイズでＳＤ映像モニタ１３７に表示される。そのため、ＳＤ映像モニタ１３７には、図２に示した表示映像２０７のように、映像の周囲に映像が表示されない余りの部分が付加される。この余りの部分に背景２０９として予め設定された色を表示することができる。例えば、パンスキャン情報が付加されている映像に対しては、背景２０９が青に表示されると予め設定されていれば、背景２０９が青で表示された場合は、パンスキャン情報が付加されている映像であることがわかる。
【００４１】
以上、説明したように、映像の画質及び当該映像にパンスキャン情報が付加されているかどうかを監視するモニタにおいて、デコード映像自体に変更を伴う変換処理を追加する必要は無く、元の画質を維持したまま、当該映像にパンスキャン情報が付加されているかどうかを確認することができる。また、パンスキャン情報の付加確認方法についても、映像の中の本来使用されていない未使用領域を使用することにより、表示される映像に全く悪影響を及ぼすことなく表示することができる。
【００４２】
なお、背景色を変化させるのではなく、色を変化させる背景の部分に文字等によってパンスキャン情報が付加された映像かどうかが表示されるものも考えられる。
【図面の簡単な説明】
【００４３】
【図１】本発明のパンスキャン情報表示装置を用いたパンスキャン情報表示システムの実施の一形態を示す図である。
【図２】図１に示したパンスキャン情報表示システムにおいて、ＱＶＧＡ液晶及びＳＤ映像モニタにそれぞれ映像がどのように表示されるかを説明するための図である。
【符号の説明】
【００４４】
１０１，１０２    携帯電話
１０３    放送局
１０４    監視部
１１０，１２０    デコーダ
１１１，１２１    ＱＶＧＡ液晶
１３０，１３１    ダウンコンバータ
１３２    映像切り替え部
１３３    制御部
１３４    エンコーダ
１３５    放送用データ送信部
１３６    監視用デコーダ
１３７    ＳＤ映像モニタ
１４０    ＨＤベースバンド映像
１４１，１４３，１４４    ＱＶＧＡベースバンド映像
１４２，１４８    ＳＤベースバンド映像
１４５    切り替え指示信号
１４６    パンスキャン情報付加指示信号
１４７    符号化ストリーム
１４９    放送ストリーム
２０１，２０２，２０３，２０５，２０６，２０７    表示映像
２０４，２０８，２０９    背景
【図１】
0004623298.tif 000002
【図２】
0004623298.tif 000003